(57)【要約】      （修正有）【課題】箱体に収められる発光体をＬＥＤ発光体として、各ＬＥＤ発光体の配列方向への移動自由度の広範化を図り、照明の偏りに簡便に対応でき、ＬＥＤ発光体の交換の簡易化により、屋内での植物栽培の照明仕様に広範に対応できる上、ＬＥＤ発光体の外部電極と電源に接続される電極板との位置決め固定の安定化が図られる照明装置を提供する。【解決手段】箱体１の底部に収められる平板状の放熱体２の左右に＋電極接続部４と−電極接続部５とを配設し、各電極接続部４、５は絶縁体を介して絶縁ビスで固定される各電極板４ｄ、５ｄにそれぞれＬＥＤ発光体３の左右の各外部電極板３ｅ、３ｆが絶縁ビス、絶縁ナットにより、クッション体と押さえ金を介して接合される。【選択図】図１
0003173793.tif 000002
【実用新案登録請求の範囲】
【請求項１】
平面視矩形状の箱体の底部に平板状の放熱体を収め、該放熱体の上面に複数本の発光体を配設し、前記箱体の上面に透明なカバーを水密的に被蓋し、該発光体の外部電極を電極板に接続し、安定器を介して該電極板を電源に接続して成る照明装置において、
前記箱体の底部に該放熱体を左右に挟んでそれぞれ絶縁材の取付け座を所要長に渡り立設し、両取付け座の上面全長にそれぞれ平板状の電極板を固定し、
前記発光体が、長尺細幅な基板上に配設される多数のＬＥＤと、該基板と共に全ＬＥＤを包蔵する円筒状の透明ケースと、該透明ケースの両端から突出する突出基板の下面にそれぞれ配設される平板状の外部電極板と、該基板に配設され、各外部電極板に電気的に接続されるＬＥＤ電気回路とから成るＬＥＤ発光体であり、
各ＬＥＤ発光体の両外部電極板をそれぞれ前記電極板に載置し、前記突出基板の上面からクッション体を介して縦断面視凹状の押さえ金でそれぞれの外部電極板を電極板に挟持して成る照明装置。
【考案の詳細な説明】
【技術分野】
【０００１】  本考案は、屋内での植物栽培に使用する照明装置に関する。
【背景技術】
【０００２】  屋内での植物栽培に使用する照明装置として、蛍光管を使用した照明具とＬＥＤを多数配設した照明具とをプラスチックのベースに多数配列し、各個の照明具を該ベースに形成した湾曲反射面を有する凹部に収め、これらの照明具をベース内に水密的に収めるために、透明なカバーを防湿パッキンを介して該ベースに被蓋して成る技術が、特開２００６−３２０３１４号公報（特許文献１）に提案されている。
ところで、この特許文献１に開示された技術では、ベースに配列される各照明具は該ベースの凹部に収められるものであるから、該凹部の配列パターンに制限され、各照明具の配列自由度が狭いものとなる。
一方、複数の蛍光管の両端に設けられた外部電極を導電体で形成された板体で挟み、各蛍光管の外部電極に電圧を印加して成る照明装置が、特開２００７−２５０５２７号公報（特許文献２）に開示されている。
この特許文献２の技術では、外部電極が円筒形であるから、取付けスペースが嵩高のものとなる上、位置決めが不安定な固定となる。
【先行技術文献】
【特許文献】
【０００３】
【特許文献１】特開２００６−３２０３１４号公報
【特許文献２】特開２００７−２５０５２７号公報
【考案の概要】
【考案が解決しようとする課題】
【０００４】  本考案は、発光体をＬＥＤ発光体として外部電極を平板状とするとともに、放熱体も平板状として各ＬＥＤ発光体の配列方向への移動自由度の広範化を図り、屋内での植物栽培における照明の偏りに簡便に対応でき、しかも、左右の外部電極と各電極板との接触を平面接触として、ＬＥＤ発光体の交換の簡易化によって植物栽培の照明仕様に広範に対応できる上、位置決め固定の安定化が図られる照明装置を提供するものである。
【課題を解決するための手段】
【０００５】  本考案の照明装置は、平面視矩形状の箱体の底部に平板状の放熱体を収め、該放熱体の上面に複数本の発光体を配設し、前記箱体の上面に透明なカバーを水密的に被蓋し、該発光体の外部電極を電極板に接続し、安定器を介して該電極板を電源に接続して成る照明装置において、
前記箱体の底部に該放熱体を左右に挟んでそれぞれ絶縁材の取付け座を所要長に渡り立設し、両取付け座の上面全長にそれぞれ平板状の電極板を固定し、
前記発光体が、長尺細幅な基板上に配設される多数のＬＥＤと、該基板と共に全ＬＥＤを包蔵する円筒状の透明ケースと、該透明ケースの両端から突出する突出基板の下面にそれぞれ配設される平板状の外部電極板と、該基板に配設され、各外部電極板に電気的に接続されるＬＥＤ電気回路とから成るＬＥＤ発光体であり、
各ＬＥＤ発光体の両外部電極板をそれぞれ前記電極板に載置し、前記突出基板の上面からクッション体を介して縦断面視凹状の押さえ金でそれぞれの外部電極板を電極板に挟持して成る。
【考案の効果】
【０００６】  本考案の照明装置によれば、ＬＥＤ発光体による照明であるから消費電力が節約され、また、植物栽培における照明の偏りに対しても、外部電極板と電極板との接触が平面接触であるから、所要範囲でＬＥＤ発光体を移動自在として対応でき、さらに、左右の突出基板の何れかを前後に傾動することで各電極板から外すことができ、ＬＥＤ発光体の交換が簡易となり、しかも、その位置決め固定は平面接触によって安定確実である。さらには、ＬＥＤ発光体を赤色発光ＬＥＤ、緑色発行ＬＥＤ、青色発光ＬＥＤ、白色発光ＬＥＤ、その他の発光色ＬＥＤ毎、或は、これらのＬＥＤを所定の混合比で混合したものなどで交換自在であるから、植物栽培の照明仕様に広範に対応できる効果をも奏する。
【図面の簡単な説明】
【０００７】
【図１】本考案の照明装置Ａの平面図。
【図２】図１に示す照明装置Ａの一部を破断した正面図。
【図３】図２のＡ部拡大断面図。
【図４】図３における−電極板５ｄの取付け状態の説明図。
【図５】図３における−外部電極板３ｆと−電極板５ｄとの接合状態の説明図。
【考案を実施するための形態】
【０００８】  本考案における箱体に収められる平板状の放熱体は、各ＬＥＤ発光体の基板に対応する面が平板であればよく、それ以外に該発光体の配列方向の両端部に補強用の突部を設けたり、前記面に多数の放熱孔を設けるなどのほか、反射機能を有するものなどでも提供される。また、本実施例におけるスチール製の箱体は縦６９５ｍｍ、横９１０ｍｍ、高さ５１ｍｍで、その上面の開口部に被蓋される透明なカバーは、該開口部の内周縁に折曲周設される取付け座において、パッキングを介して逆Ｌ型の固定金で固定される。なお、前記取付け座の隅角部相互は溶接接合されて平滑に仕上げられるのがよい。
【実施例】
【０００９】  本考案の照明装置Ａを実施例により説明すると、図１に示すように、平面視横長矩形状の偏平な箱体１の底部に平板状の放熱体２を収め、該放熱体２の上面に８本のＬＥＤ発光体３を配設し、放熱体２の左右近傍にはそれぞれ＋電極接続部４と−電極接続部５とが配設され、箱体１の上面の開口部１ａには、その内周縁に折曲周設される取付け座１ｂにおいて、図３に示すように、透明なカバー６が被蓋され、該カバー６はその上面に敷設されるパッキング７を介してその上から逆Ｌ型の４個の固定金８で固定される。【００１０】  前記したＬＥＤ発光体３は、長尺細幅な平板状の基板３ａに２１個のＬＥＤ（発光ダイオード）３ｂが配設され、全ＬＥＤ３ｂは基板３ａの所要長と共に円筒状の透明ケース３ｃに包蔵され、該透明ケース３ｃの左右からそれぞれ所要分突出する突出基板３ｄの下面には、すなわち、左側の突出基板３ｄの下面には平板状の＋外部電極板３ｅが接合され、右側の突出基板３ｄの下面には−外部電極板３ｆが接合され、各外部電極板３ｅ、３ｆに各ＬＥＤ３ｂが接続されたＬＥＤ電気回路が接続される。
一方、前記した−電極接続部５は図２のＡ部を拡大した図３に示すように、箱体１の底面に溶接される長尺なネジ座５ａと、該ネジ座５ａの全長に渡って載置される絶縁体５ｂと、該絶縁体５ｂの上面全長に渡って載置され、絶縁ビス５ｃでネジ座５ａに固定される平板状の−電極板５ｄと、該−電極板５ｄの上面に当接される前記の−外部電極板３ｆと、該−外部電極板３ｆの上面全長に係着される長尺な絶縁材からなるクッション体５ｅと、該クッション体５ｅと共に−外部電極板３ｆを−電極板５ｄとで前記絶縁体５ｂに植設される絶縁ビス５ｃにより挟持する凹状の押さえ金５ｆとから成る。ここで、−電極板５ｄを固定する絶縁ビス５ｃと−外部電極板３ｆを−電極板５ｄに接合するための絶縁ビス５ｃについて説明すると、前者の絶縁ビス５ｃは図４に示すように、−電極板５ｄを絶縁体５ｂを介してネジ座５ａに固定するものであり、後者の絶縁ビス５ｃは図５に示すように、絶縁体５ｂの下面から植設され、押さえ金５ｆの上面から絶縁ナット５ｈが螺着されて突出基板３ｄの下面に接合される−外部電極板３ｆを−電極板５ｄに接合するものである。なお、左側の＋電極接続部４の構造は右側の−電極接続部５と同一のものであるから、その説明を割愛する。【００１１】  このようにして、各個のＬＥＤ発光体３のそれぞれの＋外部電極板３ｅと−外部電極板３ｆとは、それぞれの長尺な＋電極板４ｄと−電極板５ｄとに接続され、それぞれからのリード線が安定器９に接続されて交流電源のコンセントにプラグ１０が差し込まれて使用される。
このようにして成る照明装置Ａは、屋内での植物栽培において、複数段の栽培棚毎に所要数使用されるが、照明光の光束密度を変えたい場合は、−電極接続部５と＋電極接続部４との必要個所の各絶縁ナット５ｈ、４ｈを緩めれば、必要方向へＬＥＤ発光体３を移動できるから、照明光の偏り設定も簡易であり、また、栽培植物の成長を促進させるときは、青色発光のＬＥＤの配列比が考慮されたもの、花などの開花促進が求められるときは、緑色発光のＬＥＤの配列比が所定のものなど、栽培植物の照明仕様毎にＬＥＤ発光体を即応でき、しかも、その取付けは両端の突出基板３ｄの下面に接合される両外部電極板３ｅ、３ｆをそれぞれの電極板４ｄ、５ｄに載置して絶縁ナット４ｈ、５ｈによって締結するのみで極めて簡易なものである。また、押さえ金５ｆは平板と異なり、締結力を均等に伝える。
【産業上の利用可能性】
【００１２】  本考案の照明装置は、屋内での植物栽培に適用されるから、農業分野の省力化に貢献できるとともに、照明仕様に広範に渡って対応できるＬＥＤ発光体を要部とするから、ＬＥＤ業界及び照明器具関連業界の活性化にも資するものである。
【符号の説明】
【００１３】１    箱体
１ａ  開口部
１ｂ  取付け座
２    放熱体
３    ＬＥＤ発光体
３ａ  基板
３ｂ  ＬＥＤ
３ｃ  透明ケース
３ｄ  突出基板
３ｅ  ＋外部電極板
３ｆ  −外部電極板
４    ＋電極接続部
４ｄ  ＋電極板
５    −電極接続部
５ａ  ネジ座
５ｂ  絶縁体
５ｃ  絶縁ビス
５ｄ  −電極板
５ｅ  クッション体
５ｆ  押さえ金
５ｇ  軸部
５ｈ  絶縁ナット
６    カバー
７    パッキング
８    固定金
９    安定器
１０  プラグ
Ａ    照明装置
【図１】
0003173793.tif 000003
【図２】
0003173793.tif 000004
【図３】
0003173793.tif 000005
【図４】
0003173793.tif 000006
【図５】
0003173793.tif 000007